(57)【要約】【課題】特定の地域に関する評判情報について、意味的な階層構造を用いて表示順序を決定することにより、網羅的に評判情報を提示することを目的とする。【解決手段】本発明の地域情報提示サーバは、施設又は地域に関連する評判情報を収集する評判情報収集部；評判情報の意味的な階層構造を格納する評判オントロジ格納部；指定された位置に関連する評判情報を取得する評判情報取得部；前記評判オントロジ格納部に格納された階層構造のうち所定の階層で、前記評判情報取得部により取得された評判情報を集約する評判情報集約部；及び所定の階層より上位の階層に含まれる評判情報の中で、集約された評判情報の出現数に基づいて、所定の階層における評判情報の表示順序を決定する表示順序決定部；を有する。【選択図】図２
2011145879.tif 000002
【特許請求の範囲】
【請求項１】
施設又は地域に関連する評判情報を収集する評判情報収集部；
評判情報の意味的な階層構造を格納する評判オントロジ格納部；
指定された位置に関連する評判情報を取得する評判情報取得部；
前記評判オントロジ格納部に格納された階層構造のうち所定の階層で、前記評判情報取得部により取得された評判情報を集約する評判情報集約部；及び
所定の階層より上位の階層に含まれる評判情報の中で、集約された評判情報の出現数に基づいて、所定の階層における評判情報の表示順序を決定する表示順序決定部；
を有する地域情報提示サーバ。
【請求項２】
指定された検索条件を取得する検索条件取得部；
を更に有し、
前記評判情報取得部は、前記評判情報収集部により収集された評判情報のうち、前記検索条件取得部により取得された条件を満たす評判情報を取得する、請求項１に記載の地域情報提示サーバ。
【請求項３】
集約された評判情報の出現数に基づいて、強調表示レベルを決定する表示強調度決定部；
を更に有する、請求項１又は２に記載の地域情報提示サーバ。
【請求項４】
前記表示順序決定部は、前記評判オントロジ格納部に格納された階層構造の意味的な近さを考慮し、意味的に遠い評判情報が順に表示されるように表示順序を決定する、請求項１乃至３のうちいずれか１項に記載の地域情報提示サーバ。
【請求項５】
ユーザ端末の現在地を取得する位置取得部；
を更に有し、
前記評判情報取得部は、ユーザ端末の現在地を中心とする所定の範囲内の評判情報を取得する、請求項１乃至４のうちいずれか１項に記載の地域情報提示サーバ。
【請求項６】
ユーザ端末の画面に表示可能な範囲に関する情報を取得する画面表示情報取得部；
を更に有し、
前記評判情報取得部は、ユーザ端末の画面に表示可能な範囲且つユーザ端末の現在地を中心とする所定の範囲内の評判情報を取得する、請求項５に記載の地域情報提示サーバ。
【請求項７】
前記評判情報集約部は、ユーザ端末の現在地を原点とする線によりユーザ端末の画面に表示可能な範囲を分割し、分割された範囲毎に評判情報を集約する、請求項６に記載の地域情報提示サーバ。
【請求項８】
住所、駅又はランドマークの位置情報を格納する住所・駅・ランドマーク情報格納部；
を更に有し、
前記評判情報取得部は、指定された住所、駅名又はランドマーク名に基づいて、指定された位置に関連する評判情報を取得する、請求項１乃至７のうちいずれか１項に記載の地域情報提示サーバ。
【請求項９】
前記検索条件指定部は、検索条件として指定された評判情報を取得し、
前記評判情報取得部は、指定された評判情報が含まれる、前記評判オントロジ格納部に格納された階層構造の所定の階層に存在する評判情報を取得する、請求項２乃至８のうちいずれか１項に記載の地域情報提示サーバ。
【請求項１０】
施設又は地域に関連する評判情報を提示する地域情報提示サーバにおける地域情報提示方法であって：
施設又は地域に関連する評判情報を評判情報格納部に収集するステップ；
評判情報の意味的な階層構造を評判オントロジ格納部に格納するステップ；
指定された位置に関連する評判情報を前記評判情報格納部から取得するステップ；
前記評判オントロジ格納部に格納された階層構造のうち所定の階層で、指定された位置に関連する評判情報を集約するステップ；及び
所定の階層より上位の階層に含まれる評判情報の中で、集約された評判情報の出現数に基づいて、所定の階層における評判情報の表示順序を決定するステップ；
を有する地域情報提示方法。
【発明の詳細な説明】
【技術分野】
【０００１】
本発明は、地域情報提示サーバ及び地域情報提示方法に関する。
【背景技術】
【０００２】
現在、ワールド・ワイド・ウェブ（ＷＷＷ：World  Wide  Web）上の情報であるウェブページにおいて、関連する地域を特定し、例えばユーザの現在地に関するウェブページをユーザに提示する地図ログと呼ばれる地域情報提示システムが知られている（非特許文献１参照）。
【０００３】
また、ユーザによって指定された検索語に関連する評判情報を自動的に検索し、評判情報らしさの順にユーザに提示するシステムがある（特許文献１参照）。
【先行技術文献】
【特許文献】
【０００４】
【特許文献１】特開２００２−１７５３３０号公報
【非特許文献】
【０００５】
【非特許文献１】地図ログ(http://www.chizulog.com)
【発明の概要】
【発明が解決しようとする課題】
【０００６】
上記の地図ログでは、特定の施設及び店舗に関するクチコミ情報が地図上に表示される。しかし、クチコミ情報が大量にある場合には、ユーザが全てのクチコミ情報を網羅的に閲覧することが困難である。特にユーザが携帯電話でウェブページを閲覧する場合には、小さい画面サイズの制約により、ユーザがクチコミ情報を網羅的に閲覧することが更に困難になる。
【０００７】
本発明は、上記の問題に鑑みなされたものであり、特定の地域に関する評判情報について、意味的な階層構造を用いて表示順序を決定することにより、網羅的に評判情報を提示することを目的とする。
【課題を解決するための手段】
【０００８】
上記の課題を解決するため、本発明の地域情報提示サーバは、
施設又は地域に関連する評判情報を収集する評判情報収集部；
評判情報の意味的な階層構造を格納する評判オントロジ格納部；
指定された位置に関連する評判情報を取得する評判情報取得部；
前記評判オントロジ格納部に格納された階層構造のうち所定の階層で、前記評判情報取得部により取得された評判情報を集約する評判情報集約部；及び
所定の階層より上位の階層に含まれる評判情報の中で、集約された評判情報の出現数に基づいて、所定の階層における評判情報の表示順序を決定する表示順序決定部；
を有することを特徴とする。
【０００９】
本発明の地域情報提示方法は、
施設又は地域に関連する評判情報を提示する地域情報提示サーバにおける地域情報提示方法であって：
施設又は地域に関連する評判情報を評判情報格納部に収集するステップ；
評判情報の意味的な階層構造を評判オントロジ格納部に格納するステップ；
指定された位置に関連する評判情報を前記評判情報格納部から取得するステップ；
前記評判オントロジ格納部に格納された階層構造のうち所定の階層で、指定された位置に関連する評判情報を集約するステップ；及び
所定の階層より上位の階層に含まれる評判情報の中で、集約された評判情報の出現数に基づいて、所定の階層における評判情報の表示順序を決定するステップ；
を有することを特徴とする。
【発明の効果】
【００１０】
本発明の実施例によれば、特定の地域に関する評判情報を網羅的に提示できる。
【図面の簡単な説明】
【００１１】
【図１】本発明の実施例に係る地域情報提示システムの全体構成を示す図
【図２】本発明の実施例に係る地域情報提示サーバ及びユーザ端末の構成図
【図３】住所・駅−緯度経度格納部に格納される情報の一例を示す図
【図４】施設情報格納部に格納される情報の一例を示す図
【図５】評判オントロジと評判語との関係を示す図
【図６】評判オントロジ格納部に格納される情報の一例を示す図
【図７】評判情報格納部に格納される情報の一例を示す図
【図８】表示画面の分割例を示す図
【図９】表示順序決定部で決定された表示順序の一例を示す図
【図１０】本発明の実施例に係る地域情報提示方法のフローチャート
【発明を実施するための形態】
【００１２】
本発明の実施例について、図面を参照して以下に説明する。
【００１３】
本発明の実施例では、評判情報の意味的な階層構造を用いて、指定された位置に関連する評判情報が提示される。例えば、ユーザ端末の現在地を中心とする所定の範囲内の評判情報が取得され、評判情報の意味的な階層構造のうち所定の階層で評判情報が集約される。所定の階層より上位の階層に含まれる評判情報の中で、集約された評判情報の出現数に基づいて、評判情報の表示順序が決定される。例えば、上位の階層に含まれる評判情報の中で、評判情報の出現数が多い順に表示順序が決定されてもよく、上位の階層で見たときにまんべんなく評判情報が表示されるように表示順序が決定されてもよく、意味的に遠い評判情報が順に表示されるように表示順序が決定されてもよい。また、集約された評判情報の出現数に基づいて、強調表示レベルが決定されてもよい。
【００１４】
＜地域情報提示システムの構成＞
図１に、本発明の実施例に係る地域情報提示システムの全体構成を示す。地域情報提示システムは、ユーザ端末１０及び地域情報提示サーバ２０を含む。ユーザ端末１０と地域情報提示サーバ２０とは、ネットワークを介して接続されている。また、地域情報提示サーバ２０は、データベース群を含む。
【００１５】
ユーザ端末１０は、携帯電話又はコンピュータのような、ネットワークに接続された装置である。ユーザは、ユーザ端末１０において評判情報を検索する対象となる位置（現在地、住所、駅名、ランドマーク名等）を取得又は入力する。取得又は入力された位置は、地域情報提示サーバ２０に送信される。
【００１６】
地域情報提示サーバ２０は、ユーザ端末１０で取得又は入力された位置を取得し、位置に関連する評判情報を取得する。更に、評判情報の意味的な階層を用いて、評判情報を集約し、集約された評判情報の出現数に基づいて、評判情報の表示順序を決定する。この情報は、ユーザ端末１０に送信され、ユーザ端末１０の表示部に表示される。
【００１７】
図２に、本発明の実施例に係る地域情報提示サーバ及びユーザ端末の構成図を示す。ユーザ端末１０は、測位部１０１、住所・駅名指定部１０３、評判語指定部１０５、施設ジャンル指定部１０７及び表示部１０９を含む。地域情報提示サーバ２０は、位置取得部２０１、地図取得部２０３、検索条件取得部２０５、評判情報収集部２０７、評判情報取得部２０９、評判情報集約部２１１、表示順序決定部２１３及び表示強調度決定部２１５を含む。また、地域情報提示サーバ２０は、データベース群３０として、住所・駅−緯度経度格納部３０１、地図情報格納部３０３、施設情報格納部３０５、評判オントロジ格納部３０７及び評判情報格納部３０９を含む。
【００１８】
測位部１０１は、ユーザ端末１０の位置を取得する。ユーザ端末１０の位置は、例えば、ＧＰＳ（Global  Positioning  System）のような測位デバイスを用いて取得される。ユーザ端末１０の位置は、地域情報提示サーバ２０の位置取得部２０１に送信される。ユーザ端末１０の位置が緯度・経度で取得される場合、ユーザ端末１０の位置は地図取得部２０３に送信されてもよい。
【００１９】
住所・駅名指定部１０３は、施設又は地域に関連する評判情報を提示する位置としてユーザ端末１０に入力された住所又は駅名を受け取る。住所・駅名指定部１０３は、住所及び駅名に限らず、ランドマーク名のような施設名又は地名を受け取ってもよい。入力された住所又は駅名は、地域情報提示サーバ２０の位置取得部２０１に送信される。
【００２０】
位置取得部２０１は、ユーザ端末１０で取得又は入力された位置の緯度・経度を取得する。位置が住所又は駅名で指定された場合、位置取得部２０１は、住所・駅−緯度経度格納部３０１を参照して、指定された住所又は駅名に対応する緯度・経度を取得し、地図取得部２０３及び評判情報取得部２０９に送信する。位置がランドマーク名で指定された場合も同様に、位置取得部２０１は、指定されたランドマーク名に対応する緯度・経度を取得し、地図取得部２０３及び評判情報取得部２０９に送信する。
【００２１】
住所・駅−緯度経度格納部３０１は、住所又は駅名と緯度・経度との対応関係を格納する。図３に、住所・駅−緯度経度格納部３０１に格納される情報の一例を示す。なお、住所及び駅名に限らず、ビル名、ランドマーク名等の情報が住所・駅−緯度経度格納部３０１に格納されてもよい。
【００２２】
地図取得部２０３は、緯度・経度を受信し、受信した緯度・経度を中心として、所定の範囲内の地図データを地図情報格納部３０３から取得する。また、地図情報取得部２０３は、取得した地図データをユーザ端末１０の表示部１０９に送信する。
【００２３】
地図情報格納部３０３は、地図データを格納する。地図データには、緯度・経度が付与されている。
【００２４】
評判語指定部１０５は、施設又は地域に関連する評判情報を検索する条件として、ユーザ端末１０に入力された評判語を受け取り、地域情報提示サーバ２０の検索条件取得部２０５に送信する。
【００２５】
施設ジャンル指定部１０７は、施設又は地域に関連する評判情報を検索する条件として、ユーザ端末１０に入力された施設ジャンルを受け取り、地域情報提示サーバ２０の検索条件取得部２０５に送信する。
【００２６】
検索条件取得部２０５は、評判語及び施設ジャンルのような評判情報を検索する条件を取得し、評判情報取得部２０９に送信する。
【００２７】
施設情報格納部３０５は、施設に関連する情報として、施設ＩＤ、施設名、施設ジャンル及び緯度・経度を格納する。図４に、施設情報格納部に格納される情報の一例を示す。施設ＩＤは、施設を一意に特定する識別子である。施設名は、店舗名等の施設の名称である。施設ジャンルは、「飲食店」、「ショッピング」、「観光」のような施設の種別を表す。なお、施設は店舗に限定されず、観光地、ビル、特定の地域等を含んでもよい。
【００２８】
評判オントロジ格納部３０７は、評判語の意味的な階層構造を格納する。図５に、評判オントロジと評判語との関係を示す。評判オントロジは、評判語を意味的に抽象化した概念を、上位−下位関係を示す木構造で表現したものである。例えば、「雰囲気が良い」という概念は、「センスが良い」という概念と、「高級感漂う」という概念とを包含する。「センスが良い」という概念は、「おしゃれ」という評判語と、「かっこいい」という評判語と、「センスが良い」という評判語とを抽象化した概念である。なお、図５の評判オントロジは、上位の階層にある第１階層（「雰囲気が良い」、「女性向き」）と、下位の階層にある第２階層（「センスが良い」、「高級感漂う」、「ヘルシー」、「美容に効く」）とから構成されるが、階層の数は２つに限定されず、如何なる数の階層が定義されてもよい。
【００２９】
このような評判オントロジが事前に作成され、評判オントロジ格納部３０７に格納される。図６に、評判オントロジ格納部３０７に格納される情報の一例を示す。評判オントロジ格納部３０７は、評判語の意味的な階層構造として、第１階層ＩＤ、第１階層名称、第２階層ＩＤ、第２階層名称及び評判語ＩＤを格納する。第１階層ＩＤは、第１階層の概念を一意に特定する識別子である。第１階層名称は、第１階層の名称である。第２階層ＩＤは、第２階層の概念を一意に特定する識別子である。第２階層名称は、第２階層の名称である。評判語ＩＤは、第１階層及び第２階層に含まれる評判語を一意に特定する識別子である。
【００３０】
評判情報格納部３０９は、施設に関連する評判情報として、評判語ＩＤ、施設ＩＤ、評判語及び評判数を格納する。図７に、評判情報格納部３０９に格納される情報の一例を示す。評判語ＩＤは、評判語を一意に特定する識別子である。評判数は、施設と評判語との組み合わせが出現した数を表す。評判情報は、以下に説明するように評判情報収集部２０７により収集されてもよく、ユーザにより入力されてもよい。
【００３１】
評判情報収集部２０７は、施設情報格納部３０９から施設名を取得し、ワールド・ワイド・ウェブ（ＷＷＷ）上に公開された情報から、当該施設に関連する評判語を収集する。例えば、一部のサイトでは、各施設の評判情報をＷＥＢ  ＡＰＩ形式で公開しており、施設に関連する評判語を取得できる。また、例えば、ＷＷＷ上に公開されたブログから、単語間の係り受け関係を特定することで、施設名を説明する形容詞を評判語として収集する。収集した評判語と同一の評判語が評判情報格納部３０９に存在しない場合には、新たに評判語ＩＤを発行する。次に、施設を示す施設ＩＤと収集された評判語との組み合わせが既に評判情報格納部３０９に存在する場合には、評判情報格納部３０９の評判数を１だけ増やす。一方、そのような組み合わせが評判情報格納部３０９に存在しない場合には、新たに評判語ＩＤ、施設ＩＤ、評判語を評判情報格納部３０９に追加し、評判数を１に設定する。なお、評判数は、ユーザによる支持・不支持によって増減してもよい。例えば、各評判語に対してユーザが支持する場合に、点数を加算して評判数を増やしてもよく、ユーザ自身へ点数を付けることにより、評判語を書き込んだユーザの点数を加算して評判数を増やしてもよい。
【００３２】
評判情報取得部２０９は、位置取得部２０１で取得された緯度・経度を中心として、所定の範囲内に存在する施設の施設ＩＤを施設情報格納部３０５から取得する。施設ＩＤを取得する所定の範囲は、ユーザ端末１０の表示部１０９の画面に表示可能な範囲でもよい。このため、地域情報提示サーバ２０は、ユーザ端末１０の表示部１０９の画面に表示可能な範囲に関する情報を取得してもよい。このようにして、ユーザ端末１０の現在地又は入力された住所、駅名若しくはランドマーク名を中心として、所定の範囲内に存在する施設の情報が取得される。そして、各施設ＩＤに関連する評判語と評判数とを評判情報格納部３０９から取得する。
【００３３】
施設ジャンルが検索条件として指定されている場合には、評判情報取得部２０９は、検索条件取得部２０５で取得された検索条件を満たす施設の施設ＩＤを施設情報格納部３０５から取得する。そして、各施設ＩＤに関連する評判語と評判数とを評判情報格納部３０９から取得する。
【００３４】
評判語が検索条件として指定されている場合には、評判情報取得部２０９は、検索条件取得部２０５で取得された検索条件の評判語を含む評判語ＩＤを評判情報格納部３０９から取得する。そして、取得された評判語ＩＤの上位の概念を評判オントロジ格納部３０７から取得し、当該上位の概念に含まれる他の評判語及び評判数も取得する。例えば、検索条件取得部２０５で取得された検索条件を含む評判語ＩＤの第２階層ＩＤと、当該第２階層ＩＤに関連付けられた評判語ＩＤとを評判オントロジ格納部３０７から取得する。そして、取得された評判語ＩＤに関連付けられた施設ＩＤ及び評判数を評判情報格納部３０９から取得する。最後に、取得した評判語ＩＤ、施設ＩＤ及び評判数を評判情報集約部２１１に送信する。なお、この例では、第２階層ＩＤで他の評判語ＩＤを取得しているが、如何なる階層で評判語ＩＤを取得してもよい。
【００３５】
評判情報集約部２１１は、位置取得部２０１で取得された緯度・経度を中心として、所定の範囲内に存在する施設の評判語ＩＤ及び評判数を集約する。評判情報集約部２１１は、評判オントロジ格納部３０７に格納された階層構造のうち所定の階層で評判語ＩＤ及び評判数を集約する。例えば、所定の範囲内に施設ＩＤ：Ｓ００１が含まれる場合、第２階層ＩＤ：Ｈ２−００１に含まれる評判語ＩＤ：Ｒ００１の評判数２と、評判語ＩＤ：Ｒ００２の評判数１と、評判語ＩＤ：Ｒ００３に含まれる評判数１とを加算し、第２階層ＩＤ：Ｈ２−００１の評判数を求める。所定の階層（第２階層）で集約された評判数は、施設名と共に、表示順序決定部２１３及び表示強調度決定部２１５に送信される。
【００３６】
例えば、評判情報集約部２１１は、位置取得部２０１で取得された緯度・経度を原点として、所定数の象限に表示画面を分割し、象限毎に評判語ＩＤ及び評判数を集約してもよい。図８に、表示画面の分割例を示す。図８では、位置取得部２０１で取得された緯度・経度を中心として、４つの線分で第１〜第４象限を定義しているが、道路や線路等に沿って表示画面を分割してもよい。例えば、特定の国道の右側及び左側で象限を定義してもよい。また、表示画面を分割しなくてもよい。表示画面を分割しない場合、画面全体が１つの象限で構成される。
【００３７】
表示順序決定部２１３は、評判情報集約部２１１において所定の階層（第２階層）で集約された評判数を受信し、評判数に基づいて所定の階層（第２階層）の表示順序を決定する。例えば、表示順序決定部２１３は、上位の階層（第１階層）で見たときにまんべんなく評判情報が表示されるように評判情報を決定してもよい。より具体的には、図９を参照して以下に説明するように、第２階層ＩＤに対応する第１階層ＩＤを評判オントロジ格納部３０７から取得する。そして、第１階層ＩＤ毎に評判数が多い順に第２階層ＩＤをソートし、各第１階層ＩＤから１つずつ第２階層ＩＤを取得し、表示順位を割り振る。或いは、表示順序決定部２１３は、意味的に遠い第１階層ＩＤから順に第２階層ＩＤを取得し、表示順位を割り振ってもよい。また、集約された評判語ＩＤのうち、評判数が多い順に表示順位を割り振ってもよい。なお、表示画面が象限に分割される場合には、表示順序決定部２１３は、象限毎に表示順序を決定する。決定された表示順位は、象限、第２階層名称、評判数、施設名と共に、ユーザ端末１０の表示部１０９に送信される。
【００３８】
図９に、表示順序決定部２１３で決定された表示順序の一例を示す。評判情報集約部２１１において、第２階層ＩＤ：Ｈ２−００１の評判数が１２であり、第２階層ＩＤ：Ｈ２−００２の評判数が２０であり、第２階層ＩＤ：Ｈ２−００３の評判数が３であると集約されたことを想定する。まず、第１階層ＩＤについて、評判数の多い順に第２階層ＩＤをソートし、第１階層ＩＤ：Ｈ１−００１の第２階層ＩＤは、Ｈ２−００２、Ｈ２−００１の順に表示順位が割り振られる。第１階層ＩＤ：Ｈ１−００２の第２階層ＩＤは１つであるため、ソートする必要はない。次に、第１階層ＩＤの若い順に、各第１階層ＩＤから１つずつ第２階層ＩＤを取得する。この場合、第１階層ＩＤの若いＨ１−００１から第２階層ＩＤ：Ｈ２−００２を第１順位として決定する。更に、次の第１階層ＩＤ：Ｈ１−００２から第２階層ＩＤ：Ｈ２−００３を第２順位として決定する。最後に、次の第１階層ＩＤ：Ｈ１−００１から第２階層ＩＤ：Ｈ２−００１を第３順位として決定する。
【００３９】
意味的に遠い第１階層から順に第２階層ＩＤを取得し、表示順位を割り振る場合には、例えば、第１階層の上に第０階層を定義し、第０階層に意味的な近さを定義してもよい。第０階層から意味的に遠い評判語が順に表示されるように、第１階層ＩＤを順に選択し、選択された第１階層ＩＤの中から評判数の多い第２階層ＩＤを１つずつ取得し、表示順位を割り振る。例えば、第１階層の意味的な近さがＨ１−００１、Ｈ１−００２、Ｈ１−００３、Ｈ１−００４であると定義されている場合、Ｈ１−００１、Ｈ１−００４、Ｈ１−００２、Ｈ１−００３の順に１つずつ第２階層ＩＤを取得し、表示順位を割り振ってもよい。
【００４０】
評判数が多い順に表示順位を割り振る場合には、第１階層ＩＤを考慮することなく、Ｈ２−００２、Ｈ２−００１、Ｈ３−００３の順に表示順位が決定される。
【００４１】
なお、上記の例では、第２階層で評判数を集約しているが、評判数を集約する階層は、ユーザ端末１０により指定されてもよい。
【００４２】
表示強調度決定部２１５は、評判情報集約部２１１から第２階層名称（又は第２階層ＩＤ）及び評判数を受信し、評判を表示する際の強調表示レベルを決定する。例えば、全ての第２階層ＩＤの中での評判数の最大数をＲｅｐＭＡＸとする。その上で、ＲｅｐＭＡＸに対する各第２階層ＩＤの評判数の比率を次の式（１）により算出する。
【００４３】
評判数比率（ＩＤ）＝第２階層ＩＤの評判数／ＲｅｐＭＡＸ      （１）
算出された評判数比率に基づいて、表示強調度決定部２１５は、強調表示レベルを決定する。例えば、評判数比率が０．８以上であれば、赤色で強調表示をしてもよく、０．３以上０．８未満であれば、黄色で強調表示をしてもよく、０．３未満であれば青色で強調表示をしてもよい。決定された強調表示レベルは、ユーザ端末１０の表示部１０９に送信される。
【００４４】
表示部１０９は、地図取得部２０３から地図データを受信し、画面に表示する。更に、表示順序決定部２１３から表示する象限、第２階層名称、評判数及び表示順序を受信し、各象限に表示順序が若い順に第２階層名称を表示する。また、表示強調度決定部２１５から強調表示レベルを受信し、表示レベルを変更する。表示した第２階層名称をユーザが選択した場合には、表示部１０９は、第２階層に関連付けられた施設名を表示する。
【００４５】
第２階層名称が複数ある場合には、表示部１０９は、単純に第２階層名称を順番にリスト形式で表示してもよいし、第２階層名称が含まれる吹き出しを順番に表示してもよい。また、第２階層名称が含まれる複数の雲を順番に回転させながら表示しても良い。
【００４６】
また、表示部１０９は、地図データを画面上に表示するかわりに、カメラで取得した実空間の写真画像を画面に表示しても良い。その上で、ユーザがユーザ端末をかざした方角に存在する施設の第２階層名称を表示しても良い。これにより、拡張現実（Augmented  Reality）として、実空間の写真画像上に施設評判情報を提供することができる。
【００４７】
＜地域情報提示システムの動作＞
図１０に、本発明の実施例に係る地域情報提示方法のフローチャートを示す。
【００４８】
まず、地域情報提示サーバ２０は、各施設の評判情報を収集する（ステップＳ１０１）。具体的には、評判情報収集部２０７が、施設情報格納部３０９から施設名を取得し、ＷＷＷ上に公開された情報から、当該施設に関連する評判語を収集する。例えば、一部のサイトでは、各施設の評判情報をＷＥＢ  ＡＰＩ形式で公開しており、施設に関連する評判語を取得できる。また、例えば、ＷＷＷ上に公開されたブログから、単語間の係り受け関係を特定することで、施設名を説明する形容詞を評判語として収集する。収集した評判語と同一の評判語が評判情報格納部３０９に存在しない場合には、新たに評判語ＩＤを発行する。次に、施設を示す施設ＩＤと収集された評判語との組み合わせが既に評判情報格納部３０９に存在する場合には、評判情報格納部３０９の評判数を１だけ増やす。一方、そのような組み合わせが評判情報格納部３０９に存在しない場合には、新たに評判語ＩＤ、施設ＩＤ、評判語を評判情報格納部３０９に追加し、評判数を１に設定する。なお、上記のように、ユーザの支持による加点又はユーザ自身への加点をすることで、評判数を増やしてもよい。
【００４９】
次に、ユーザが検索条件を設定する（ステップＳ１０３）。具体的には、ユーザ端末１０により位置及び検索条件を指定する。現在地を指定する場合には、測位部１０１でユーザ端末１０の位置を取得する。住所、駅名又はランドマーク名を指定する場合には、住所・駅名指定部１０３で入力された住所、駅名又はランドマーク名を取得する。入力された住所、駅名又はランドマーク名は、住所・駅−緯度経度格納部３０１を参照して、入力された住所、駅名又はランドマーク名に対応する緯度・経度を取得する。また、ユーザは、検索条件として施設ジャンル又は評判語を指定できる。施設ジャンルについては、所定の施設ジャンル（「飲食店」、「ショッピング」、「観光」等）からユーザが閲覧したい施設ジャンルが選択されてもよい。評判語については、ユーザが閲覧したい評判語がフリーワードとして入力されてもよい。これらの検索条件は、評判情報取得部２０９に送信される。
【００５０】
次に、地域情報提示サーバ２０は、地図情報を取得する（ステップＳ１０５）。具体的には、地図取得部２０３が、ユーザ端末１０により指定された緯度・経度を受信し、受信した緯度・経度を中心として、所定の範囲内の地図データを地図情報格納部３０３から取得する。地図データは、ユーザ端末１０の表示部１０９に送信される。
【００５１】
次に、地域情報提示サーバ２０は、評判情報を取得する（ステップＳ１０７）。具体的には、評判情報取得部２０９は、検索条件を満たす評判語ＩＤ、施設ＩＤ及び評判数を取得する。まず、評判情報取得部２０９は、位置取得部２０１で取得された緯度・経度を中心として、所定の範囲内に存在する施設の施設ＩＤを施設情報格納部３０５から取得する。そして、各施設ＩＤに関連する評判語と評判数とを評判情報格納部３０９から取得する。施設ジャンルが検索条件として指定されている場合には、検索条件取得部２０５で取得された検索条件を満たす施設の施設ＩＤを施設情報格納部３０５から取得する。そして、各施設ＩＤに関連する評判語と評判数とを評判情報格納部３０９から取得する。評判語が検索条件として指定されている場合には、検索条件取得部２０５で取得された検索条件の評判語を含む評判語ＩＤを評判情報格納部３０９から取得する。更に、取得された評判語ＩＤの第２階層ＩＤと、第２階層ＩＤに関連付けられた評判語ＩＤとを評判オントロジ格納部３０７から取得する。そして、取得された評判語ＩＤに関連付けられた施設ＩＤ及び評判数を評判情報格納部３０９から取得する。取得した評判語ＩＤ、施設ＩＤ及び評判数は、評判情報集約部２１１に送信される。
【００５２】
次に、地域情報提示サーバ２０は、評判情報を集約する（ステップＳ１０９）。具体的には、評判情報集約部２１１が、位置取得部２０１で取得された緯度・経度を中心として、所定の範囲内に存在する施設の評判語ＩＤ及び評判数を集約する。例えば、位置取得部２０１で取得された緯度・経度を原点として、４つの象限に表示画面を分割し、象限毎に評判語ＩＤ及び評判数を集約してもよい。所定の階層で集約された評判数は、表示順序決定部２１３及び表示強調度決定部２１５に送信される。
【００５３】
次に、地域情報提示サーバ２０は、評判情報の表示順序を決定する（ステップＳ１１１）。具体的には、表示順序決定部２１３が、評判情報集約部２１１において所定の階層（第２階層）で集約された及び評判数を受信し、評判数に基づいて所定の階層（第２階層）の表示順序を決定する。例えば、第２階層ＩＤに対応する第１階層ＩＤを評判オントロジ格納部３０７から取得する。そして、第１階層ＩＤ毎に評判数が多い順に第２階層ＩＤをソートし、各第１階層ＩＤから１つずつ第２階層ＩＤを取得し、表示順位を割り振る。決定された表示順位は、象限、第２階層名称、評判数、施設名と共に、ユーザ端末１０の表示部１０９に送信される。
【００５４】
なお、地域情報提示サーバ２０は、評判を表示する際の強調表示レベルを決定してもよい。具体的には、表示強調度決定部２１５が、評判情報集約部２１１から第２階層名称（又は第２階層ＩＤ）及び評判数を受信し、評判を表示する際の強調表示レベルを決定する。例えば、評判数比率を用いて強調表示レベルを決定する。決定された強調表示レベルは、ユーザ端末１０の表示部１０９に送信される。
【００５５】
最後に、ユーザ端末１０は、評判を表示する（ステップＳ１１３）。具体的には、表示部１０９が、地図取得部２０３から地図データを受信し、画面に表示する。更に、表示順序決定部２１３から表示する象限、第２階層名称、評判数及び表示順序を受信し、各象限に表示順序が若い順に第２階層名称を表示する。また、表示強調度決定部２１５から強調表示レベルを受信し、表示レベルを変更する。表示した第２階層名称をユーザが選択した場合には、表示部１０９は、第２階層に関連付けられた施設名を表示する。
【００５６】
このように、本発明の実施例によれば、特定の地域に関する評判情報について、意味的な階層構造を用いて表示順序が決定され、網羅的に評判情報を提示できる。表示順序決定部２１３において、所定の階層（第２階層）より上位の階層（第１階層）で所定の階層毎に１つずつ評判語ＩＤが選択されるため、上位の階層で見たときにまんべんなく評判語が提示できる。ユーザが適切な評判語を思いつかない場合でも、類似の評判語を網羅的に閲覧できる。
【００５７】
更に、強調表示度決定部２１５において強調表示レベルを決定することにより、ユーザは、評判の出現頻度を直感的に把握できる。
【００５８】
また、評判オントロジ格納部３０７において意味的な近さを定義することにより、意味的に遠い評判語が順に表示できる。このようにすることで、地域に関する評判情報を網羅的に提示できる。
【００５９】
また、評判情報収集部２０７においてＷＷＷ上に公開された情報が収集できるため、クチコミや体験談のような直感的な表現で評判情報を収集できる。
【００６０】
また、測位部１０１でユーザの現在地がわかるため、検索条件を入力しなくても、地域に関する評判情報を提示できる。
【００６１】
一方、住所・駅名指定部１０３において住所、駅名又はランドマーク名の入力を指定可能にすることにより、ユーザは、任意の地域に関する評判情報を住所、駅名又はランドマーク名といった表現で閲覧できる。
【００６２】
また、評判情報集約部２１１において、ユーザ端末の現在地を原点とする線によりユーザ端末の画面に表示可能な範囲を分割し、分割された範囲毎に評判情報を集約することで、ユーザの現在地を中心に、どの方向に何があるかを提示できる。このため、ユーザは、目的の場所により速く直感的に到達できる。
【００６３】
なお、本発明は、上記の実施例に限定されることなく、特許請求の範囲内において種々の変更及び応用が可能である。
【符号の説明】
【００６４】
１０  ユーザ端末
２０  地域情報提示サーバ
３０  データベース群
１０１  測位部
１０３  住所・駅名指定部
１０５  評判語指定部
１０７  施設ジャンル指定部
１０９  表示部
２０１  位置取得部
２０３  地図取得部
２０５  検索条件取得部
２０７  評判情報収集部
２０９  評判情報取得部
２１１  評判情報集約部
２１３  表示順序決定部
２１５  表示強調度決定部
３０１  住所・駅−緯度経度格納部
３０３  地図情報格納部
３０５  施設情報格納部
３０７  評判オントロジ格納部
３０９  評判情報格納部
【図１】
2011145879.tif 000003
【図２】
2011145879.tif 000004
【図３】
2011145879.tif 000005
【図４】
2011145879.tif 000006
【図５】
2011145879.tif 000007
【図６】
2011145879.tif 000008
【図７】
2011145879.tif 000009
【図８】
2011145879.tif 000010
【図９】
2011145879.tif 000011
【図１０】
2011145879.tif 000012